(57)【特許請求の範囲】
【請求項１】
ペット等動物用のリードを収容するリード収容装置であって、
正方向に回転することにより前記リードを繰り出し、逆方向に回転することにより前記リードを巻き取り可能なリールと、
前記リールの側面において周方向に設けられた係止歯と、
前記リードの繰り出しに伴う外力を受けて付勢力を蓄えつつ、前記外力の解除に伴って前記リールの逆方向への回転を付勢する付勢部材と、
周部に被係合部を有し、前記リールに連動して回転する回転部材と、
前記被係合部に係合可能な係合部と、前記係合部と一体的に作動し前記係止歯に係止可能な係止爪とを有し、前記回転部材に対して周方向所定位置に配置された係合部材と、
前記被係合部と前記係合部とが係合可能な係合可能状態と、前記被係合部と前記係合部とが係合不能な係合不能状態とに切り替え可能な切替部材とが設けられており、
前記係合部材が前記リールに向かう方向に付勢され、前記係合部が前記回転部材の径方向外側から径方向内側に向けて凹状に設けられた被係合部に進入するのに伴って、前記係止部が前記回転部材の径方向外側から内側に向かって移動可能であり、
前記係合可能状態とすることにより、前記回転部材の回転範囲を前記係合部と前記被係合部とが係合する係合位置を終点とする範囲内に制限し、前記回転範囲に基づいて前記リードの繰り出し可能範囲を制限することにより、制限される場合と制限されない場合とで繰り出される前記リードの長さについて複数の長さを選択できることを特徴とするリード収容装置。
【請求項２】
前記リールの回転に連動して回転し、前記回転部材に対して前記リールの回転を伝達する中間回転部材を有することを特徴とする請求項１に記載のリード収容装置。
【請求項３】
前記切替部材が、外周から中心方向に向かって凹状に形成された凹部を有するものであり、
前記凹部が所定の位置に配されると、前記係合部が前記被係合部に対して進入可能な状態となり、
前記被係合部が前記所定の位置に到達すると、前記係合部が前記凹部に進入して、前記係止爪が前記リール側に移動して前記係止爪が前記係止歯に係止することを特徴とする請求項１又は２に記載のリード収容装置。
【請求項４】
前記回転部材に隣接して設けられる係合部突出孔を備え、
前記係合部が、前記回転部材の径方向外側から内側に向けて移動して前記係合部突出孔を突出し、前記被係合部に進入することを特徴とする請求項１〜３のいずれかに記載のリード収容装置。
【請求項５】
前記係止歯又は前記回転部材に対して係止可能な係止部材を備えていることを特徴とする請求項１〜４のいずれかに記載のリード収容装置。
【請求項６】
前記係止部材が、前記リードの繰出し距離に関わらず、少なくとも前記リールの正方向の回転を禁止するブレーキ機構として機能することを特徴とする請求項５に記載のリード収容装置。
【発明の詳細な説明】
【技術分野】
【０００１】
本発明は、ペット用のリード等引き紐の巻き取り及び繰り出し可能なリード収容装置に関する。
【０００２】
従来、犬等ペットの散歩時に使用されるリードを収容する装置において、巻きばね等の付勢部材により、付勢力に対抗してリードを繰り出しつつ、蓄えられた付勢力によりリードを巻き取る技術が提供されている。これらのリード収容装置においては、ペットの動きに伴う外力によりリードを繰り出し、蓄えられた付勢力によりリードを巻き取る構造とされている。
【０００３】
本発明の出願人による下記特許文献１のリード収納装置では、リードの繰り出し限度においてリードの繰り出し及び巻き取りを可能としつつ、利用者の操作によりこれらのリードの繰り出し及び巻き取りを停止する技術が提供されている。特許文献１のリード収納装置では、巻き取り式のリールを用いてリードの繰り出しと巻き取りを可能としつつ、ロック装置を設けて、リードの繰り出しを緊急に停止したい場合に、リードの繰り出しを規制する技術が採用されている。
【先行技術文献】
【特許文献】
【０００４】
【特許文献１】特開２００９−１３６２１３号公報
【発明の概要】
【発明が解決しようとする課題】
【０００５】
しかしながら、ペットをリードに繋いで活動させる環境については、様々な状況が想定される。リードを繰り出し可能とする距離は、ペットの活動を許容する範囲となり、使用環境によってはペットの活動範囲を広く又は狭く切り替え可能であることが望まれる。例えば、公園等広い場所でペットに活動させる場合には、やや広い範囲で活動させてもよいが、一般道などを散歩させる場合は、ペットの活動範囲を制限することが望ましい。
【０００６】
上述の特許文献１のリード収納装置では、リードの最大繰り出し距離の範囲内においてリードの繰り出し及び巻き取りを可能としているものの、リードの最大繰り出し範囲の中間距離においては繰り出し及び巻き取り可能とする範囲の切り替えを行い得ない。
【０００７】
そこで、本発明は、リードの繰り出し及び巻き取りを可能とするリード繰り出し範囲を利用者の操作により選択可能なリード収容装置の提供を目的とした。
【課題を解決するための手段】
【０００８】
上述した課題を解決すべく提供される本発明のリード収容装置は、ペット等動物用のリードを収容するリード収容装置であって、正方向に回転することにより前記リードを繰り出し、逆方向に回転することにより前記リードを巻き取り可能なリールと、前記リールの側面において周方向に設けられた係止歯と、前記リードの繰り出しに伴う外力を受けて付勢力を蓄えつつ、前記外力の解除に伴って前記リールの逆方向への回転を付勢する付勢部材と、周部に被係合部と、前記係合部と一体的に作動し前記係止歯に係止可能な係止爪とを有し、前記リールに連動して回転する回転部材と、前記被係合部に係合可能な係合部を有し、前記回転部材に対して周方向所定位置に配置された係合部材と、前記被係合部と前記係合部とが係合可能な係合可能状態と、前記被係合部と前記係合部とが係合不能な係合不能状態とに切り替え可能な切替部材とが設けられており、前記係合部材が前記リールに向かう方向に付勢され、前記係合部が前記回転部材の径方向外側から径方向内側に向けて凹状に設けられた被係合部に進入するのに伴って、前記係止部が前記回転部材の径方向外側から内側に向かって移動可能であり、前記係合可能状態とすることにより、前記回転部材の回転範囲を前記係合部と前記被係合部とが係合する係合位置を終点とする範囲内に制限し、前記回転範囲に基づいて前記リードの繰り出し可能範囲を制限することにより、制限される場合と制限されない場合とで繰り出される前記リードの長さについて複数の長さを選択できる（即ち、繰り出されるリードの長さについて、複数の長さを選択できる。）ことを特徴とするものである。
【０００９】
本発明のリード収容装置は、リールと連動して回転する回転部材に被係合部を設けると共に、被係合部に係合可能な係合部を有する係合部材を回転部材に対して周方向所定位置に配置している。
【００１０】
さらに、本発明のリード収容装置では、切替部材によって被係合部と係合部とが係合可能な係合可能状態と、係合不能な係合不能状態とに切り替え可能とされており、係合可能状態とすることによってリードの繰り出し可能範囲を制限可能とされている。
【００１１】
従って、本発明によれば、切替部材によって係合可能状態と係合不能状態とに切り替えることにより、リード繰り出し範囲を調整（選択）可能なリード収容装置を提供できる。
【００１２】
さらに、本発明のリード収容装置は、前記係合部材が、前記係合部と一体的に作動する係止爪を備え、前記係止爪が係止可能な係止歯が、前記リールの側面において周方向に複数設けられており、前記係合部と前記被係合部とが係合した状態においては、前記係止爪と前記係止歯とが係合して前記リールの回転が制限されるものであることが望ましい。
【００１３】
本発明のリード収容装置においては、係合部と被係合部とが係合した状態になると、リール側に設けられた係止歯及び係止爪も係合した状態になる。このように係止歯及び係止爪を係合可能とするより、リールの回転をより一層確実に抑制可能となる。
【００１４】
これにより、被係合部へのトルク負荷を軽減し、回転部材の破損を抑制することができる。また、上述の構成によれば、リールに対して直接的に回転規制を行うことができ、係合状態においてリード繰り出しに比較的強い外力が与えられた場合でも、リールの正方向への回転をより一層確実に制限可能となる。
【００１５】
本発明のリード収容装置においては、前記切替部材が、外周から中心方向に向かって凹状に形成された凹部を有するものであり、前記凹部が所定の位置に配されると、前記係合部が前記被係合部に対して進入可能な状態となり、前記被係合部が前記所定の位置に到達すると、前記係合部が前記凹部に進入して、前記係止爪が前記リール側に移動して前記係止爪が前記係止歯に係止することが望ましい。
【００１６】
さらに、本発明のリード収容装置は、前記回転部材に隣接して設けられる係合部突出孔を備え、前記係合部が、前記回転部材の径方向外側から内側に向けて移動して前記係合部突出孔を突出し、前記被係合部に進入することが望ましい。
【００１７】
本発明のリード収容装置は、前記リールの回転に連動して回転し、前記回転部材に対して前記リールの回転を伝達する中間回転部材を有するものであることが望ましい。
【００１８】
また、本発明のリード収容装置においては、リールの回転と回転部材の回転との間で、中間回転部材によってリールの回転が伝達される。中間回転部材を設けることにより、回転部材が回転して係合位置に到達するまでの間のリール回転数を適宜設定可能となる。
【００１９】
従って、本発明によれば、リールや回転部材の直径の制約を抑制でき、リール及び回転部材の小型化やリード収容装置全体の小型化を実現し得る。
【００２０】
本発明のリード収容装置は、前記係止歯又は前記回転部材に対して係止可能な係止部材を備えたものとすることができる。
【００２１】
本発明のように係止歯又は回転部材と接触してリールの回転を規制可能とする係合部材以外の部材を設けることにより、リード収容装置のブレーキ機構及びロック機能を加えることができる。すなわち、リードを繰り出した距離に関わらず、リード繰り出しの緊急停止やリード繰り出し距離のロック等、利用者のニーズに応じた機能を付与することができる。
【００２２】
本発明のリード収容装置は、前記係止部材が、前記リードの繰出し距離に関わらず、少なくとも前記リールの正方向の回転を禁止するブレーキ機構として機能することが可能である。
【発明の効果】
【００２３】
本発明によれば、リードの繰り出し及び巻き取りを可能とするリード繰り出し範囲を利用者の操作により選択可能なリード収容装置を提供できる。
【図面の簡単な説明】
【００２４】
【図１】本発明の一実施形態に係るリード収容装置の外観斜視図である。
【図２】図１のリード収容装置の構造概略図である。
【図３】図１のリード収容装置の分解斜視図である。
【図４】図１のリード収容装置のケースを示す斜視図である。（ａ）は天面側ケースのケース外側を示した斜視図、（ｂ）は底面側ケースのケース内側を示した斜視図である。
【図５】図１のリード収容装置のリールを示している。（ａ）は平面図、（ｂ）は正面図、（ｃ）は底面図である。
【図６】図１のリード収容装置の歯車機構を構成するギアを示している。（ａ）はスイッチギア、（ｂ）は中間ギア、（ｃ）は主動ギアを示している。
【図７】図６の歯車機構及び切替部材の分解斜視図である。
【図８】図１のリード収容装置の中間スイッチを示している。（ａ）は斜視図、（ｂ）は平面図、（ｃ）は正面図である。
【図９】図１のリード収容装置の切替部材を示している。（ａ）は天面側斜視図、（ｂ）は底面側斜視図、（ｃ）は平面図、（ｄ）は正面図である。
【図１０】図１のリード収容装置のブレーキ部を示している。（ａ）はブレーキをかけていない状態、（ｂ）はブレーキをかけた状態である。
【図１１】図１のリード収容装置について、最大フリー範囲が選択された場合の係合部、被係合部、係止爪及び係止歯の位置関係を示している。
【図１２】図１のリード収容装置について、中間フリー範囲が選択された場合の係合部、被係合部、係止爪及び係止歯の位置関係を示している。
【図１３】図１２に示した係合状態における係止歯及び係止爪の動きを示している。
【図１４】図１のリード収容装置を用いてペットの散歩を行う場合のイメージ図である。（ａ）は最大フリー範囲が選択された場合、（ｂ）は中間フリー範囲が選択された場合である。
【発明を実施するための形態】
【００２５】
以下、本発明の一実施形態に係るリード収容装置１０について、図面を参照しつつ詳細に説明する。リード収容装置１０は、図１に示す外観を備える。また、図１や図２に示すリード収容装置１０の構造概略図のとおり、リード収容装置１０は、リール５０、中間スイッチ７０、回転部材１３０、中間ギア１２０（中間回転部材）、切替部材１４０及びブレーキ部１５０を備えている。リード収容装置１０は、後述するリール５０の巻取部５２にリード２を巻き付け、ケース２０に設けられたリード繰出部２６を通じてリード２を出し入れ可能とされている。
【００２６】
リード収容装置１０は、リード２の繰り出し方向に引っ張る外力を作用させることにより、リール５０をリード繰り出し方向（正方向）に回転させ、リード２を繰り出すことができる。また、リード２の繰り出しに伴い、後述する巻きばね（図示せず）に付勢力を蓄えると共に、蓄えられた付勢力を使用してリード２を巻き取る方向（逆方向）にリール５０を回転させ、リード２を巻き取ることができる。
【００２７】
このように、リード収容装置１０は、リード２の繰り出し及び付勢力によるリード２の巻き取りを行うリード繰り出し可能範囲（フリー範囲）を有する。リード収容装置１０は、後に詳述するとおり、リード繰り出し可能範囲（フリー範囲）をリード２の全長に匹敵する最大の範囲（最大フリー範囲）とするだけでなく、フリー範囲を最大フリー範囲よりも短い中間範囲（中間フリー範囲）に設定することも可能であるという特徴を有する。
【００２８】
続いて、リード収容装置１０の各部の構成について詳細に説明する。図２や図４等に示すように、ケース２０は、リード収容装置１０において各機構等を収容するために設けられている。ケース２０には、リール収容部２２、把手部２４、及びリード操出部２６が設けられている。
【００２９】
リール収容部２２は、リール５０や歯車機構１００等を収容するために設けられている。また、把手部２４は、リード収容装置１０の利用者Ｐが手に持つためのハンドルとして機能する部分である。またリード操出部２６は、リード２をケース２０の外側と内側への出し入れをするものである。
【００３０】
ケース２０は、図４（ａ）に示す第一ケース構成体２０ａと、図４（ｂ）に示す第二ケース構成体２０ｂとを有する。ケース２０は、両者を組み合わせることにより内側にリール収容部２２を構成する空間が形成される。
【００３１】
また、第一ケース構成体２０ａにおいてリール収容部２２の外側となる部分には、ケース外側から内側へ向けて略円形に凹んだ切替部材収容領域３２が設けられている。切替部材収容領域３２は、リール収容部２２との境界をなす隔離壁３４と、周面３６とを有する。隔離壁３４には、中間ギア突出孔４０が設けられており、ケース２０の内外を貫通している。
【００３２】
また、周面３６には、係合部突出孔３８が設けられている。さらに係合部突出孔３８に対して切替部材収容領域３２の外側に隣接する位置には、フリー範囲表示部２８が設けられている。
【００３３】
図４（ｂ）に示すとおり、リール収容部２２の底面側には、リール支持軸３０が設けられている。リール支持軸３０は、リール５０をケース２０内において回転可能に支持している。
【００３４】
リール５０は、図５に示すとおり、巻取部５２及びフランジ部５４ａ，５４ｂを備えている。リール５０は、フランジ部５４ａ側が第一ケース構成体２０ａ側を向き、フランジ部５０ｂ側が第二ケース構成体２０ｂ側を向く姿勢とされ、ケース２０のリール収容部２２内に収容されている。
【００３５】
巻取部５２は、リード２を巻き取り可能であって、上述したリール支持軸３０を挿通するための軸貫通孔６６を備えた筒状の部材である。巻取部５２には、図示しない巻きばね（付勢手段）が内蔵されている。
【００３６】
そのため、リード２をケース２０の外側に向けて引き出す外力が作用すると、巻きばね（図示せず）に付勢力が蓄えられる。また、リード２を引き出す方向への外力が低減すると、巻きばねに蓄えられている付勢力により、リード２の引き出し時とは逆方向にリール５０が回転し、リード２が巻き取られる。
【００３７】
図５（ａ）及び（ｃ）に示すとおり、フランジ部５４ａ，５４ｂには、リール５０の回転中心から径方向外側に向けて延びる爪状の係止歯５６ａ，５６ｂが複数（本実施形態では８個）設けられている。係止歯５６ａ，５６ｂは、リール５０の正回転方向前方側の面をなす摺動側面６０ａ，６０ｂと、正回転方向後方側の面をなす係止側面５８ａ，５８ｂとを有する。
【００３８】
摺動側面６０ａ，６０ｂは、平面視において湾曲した形状とされている。具体的には、摺動側面６０ａ，６０ｂは、リール５０の回転中心側から径方向外側に向かうに連れてリール５０の正回転方向後方側に向かうように湾曲している。一方、係止側面５８ａ，５８ｂは、リール５０の回転中心側から径方向外側に向けて直線的に延びている。
【００３９】
図５（ａ）に示すとおり、フランジ部５４ａには主動ギア収容部６２が形成されている。主動ギア収容部６２は、後述する主動ギア１１０を収容するものである。主動ギア収容部６２には、主動ギア１１０が固定されている。主動ギア１１０の固定方法としては種々のものが考えられるが、例えば主動ギア１１０の外周部及び主動ギア収容部６２の内周面に凸部及び凹部を設け、互いに嵌合させた構成等を採用できる。
【００４０】
歯車機構１００は、リール５０の回転に従動して回転しつつ、フリー範囲の切り替えを可能とするために設けられている。歯車機構１００は、リール５０に固定される主動ギア１１０と、主動ギア１１０の回転を伝達する中間ギア１２０（中間回転部材）と、中間ギア１２０の回転を受けて回転する回転部材１３０（回転部材）とから構成される。
【００４１】
図７に示すとおり、主動ギア１１０及び中間ギア１２０は、リール収容部２２の内側に収容されている。一方、回転部材１３０は、隔離壁３４を介してリール収容部２２の外側に形成された切替部材収容領域３２内に設けられている。中間ギア１２０は、その一部が隔離壁３４に設けられた中間ギア突出孔４０を介してリール収容部２２の内側から切替部材収容領域３２に向けて突出し、回転部材１３０と噛み合っている。
【００４２】
次に、歯車機構１００を構成するギアの詳細について、図面を参照しつつ説明する。図６には、歯車機構１００を構成する主動ギア１１０、中間ギア１２０及び回転部材１３０の平面図及び正面図を示している。
【００４３】
図６（ｃ）に示すとおり、主動ギア１１０は、リール５０に固定するための固定部１１４及び中間ギア噛合部１１２を備えている。主動ギア１１０は、固定部１１４がリール５０の主動ギア収容部６２に収容されて固定され、リール５０の回転に伴って回転する。
【００４４】
図６（ｂ）に示すとおり、中間ギア１２０は、主動ギア噛合部１２２、スイッチギア噛合部１２４、及び隔離壁嵌込部１２６を備えている。主動ギア噛合部１２２は、主動ギア１１０に設けられた中間ギア噛合部１１２に噛み合っている。そのため、中間ギア１２０は、主動ギア１１０の回転が伝達されて回転する。
【００４５】
また、図７に示すとおり、中間ギア１２０は、隔離壁３４に設けられた中間ギア突出孔４０に隔離壁嵌込部１２６が嵌め込まれ、スイッチギア噛合部１２４が切替部材収容領域３２側に突出した状態とされる。
【００４６】
回転部材１３０は、リール５０の回転と連動して回転しつつ、後に詳述する係合部７４との係合状態によりフリー範囲切り替えを実現するために設けられている。回転部材１３０は、ケース２０に設けられた切替部材収容領域３２の内径と略同一の外径を有する円板状の部材であり、表面１３０ａをリード収容装置１０の外側に向け、裏面１３０ｂを隔離壁３４側に向けた状態とされ、切替部材収容領域３２内に回転可能なように嵌め込まれている。
【００４７】
また、図６（ａ）に示すとおり、回転部材１３０の裏面１３０ｂ側には歯車状の中間ギア噛合部１３８が設けられている。中間ギア噛合部１３８には、中間ギア１２０のスイッチギア噛合部１２４が噛み合っている。そのため、回転部材１３０は、リール５０の回転に伴って中間ギア１２０を介して回転力が伝達され、切替部材収容領域３２内において回転する。
【００４８】
回転部材１３０の外周部には、被係合部１３２が設けられている。被係合部１３２は、回転部材１３０の径方向外側から内側に向けて窪んだ凹状のものとされている。被係合部１３２は、後述する中間スイッチ７０に設けられた係合部７４が進入して係合可能とされている。
【００４９】
図２に示すように、中間スイッチ７０（係合部材）は、上述した回転部材１３０に対して周方向所定位置において径方向外側に隣接する位置に設けられている。図８に示すように、中間スイッチ７０は、支持部７２、係合部７４、係止爪７６ａ，７６ｂ、及び係止爪連結部７８を一体的に形成したものとされている。
【００５０】
また、中間スイッチ７０は、柱状の支持部７２に対して交差する方向に伸びる係止爪連結部７８を有し、係止爪連結部７８の両端には係止爪７６ａ，７６ｂを有する。さらに、係止爪７６ａには、略円柱形状の係合部７４が立設されている。
【００５１】
図２等に示すように、中間スイッチ７０は、把手部２４からリール収容部２２にかけてケース２０の内側に収容されている。また、中間スイッチ７０は、支持部７２において係止爪連結部７８が設けられたのとは反対側の端部に取り付けられたコイルばね８０により把手部２４側からリール５０側に向かう方向に付勢されている。すなわち、係合部７４は、ケース２０の係合部突出孔３８から切替部材収容領域３２内に向けて突出可能なように付勢されている。
【００５２】
そのため、切替部材収容領域３２内に嵌め込まれている回転部材１３０を回転させ、被係合部１３２を係合部突出孔３８に隣接する位置に到来させると、係合部７４を係合部突出孔３８から突出し、係合部７４が被係合部１３２に進入して係合した状態になる。また、中間スイッチ７０がリール５０側にスライドした状態になる。
【００５３】
また、中間スイッチ７０は、ケース２０に対し、係止爪７６ａ，７６ｂがリール５０側に向くように取り付けられている。上述したようにして中間スイッチ７０がリール５０側にスライドした状態になると、係止爪７６ａ，７６ｂについてもリール５０方向に移動する。これに伴い、係止爪７６ａ，７６ｂが、係止歯５６ａ，５６ｂと係合可能な位置まで移動する。係止爪７６ａ，７６ｂと係止歯５６ａ，５６ｂとが係合すると、リール５０の回転が規制された状態になる。
【００５４】
切替部材１４０は、係合部７４の被係合部１３２への進入を禁止する状態（係合不能状態）と、係合部７４の被係合部１３２への進入を許容する状態（係合可能状態）の切り替えを行うために設けられている。図９に示すように、切替部材１４０は、略円形の形状とされ外径は回転部材１３０と略同等とされている。
【００５５】
切替部材１４０は、凹部１４２と、ガイド部１４４と、取付部１４６とを備えている。凹部１４２は、切替部材１４０の外縁に設けられており、外周から中心方向に向かって凹状に形成されている。ガイド部１４４は、リード収容装置１０の利用者Ｐが切替部材１４０の回転操作を行うために設けられたものであり、凹部１４２に対応する位置に設けられている。
【００５６】
また、切替部材１４０は、取付部１４６を、隔離壁３４の切替部材嵌込部４２に対して嵌め込むことにより、回転部材１３０に対してリード収容装置１０の外側に被さるように装着されている。切替部材１４０は、ガイド部１４４を用いて回転操作を行うことにより、側面が切替部材収容領域３２の周面３６と当接しながら回転する。
【００５７】
上述のとおり、被係合部１３２を係合部突出孔３８と隣接した位置にあわせると、係合部７４が進入可能な領域が形成される。従って、ガイド部１４４をフリー範囲表示部２８において「中間」と表示された部分（中間フリー範囲表示領域４６）にあわせた状態で係合部突出孔３８が凹部１４２に連接した位置に到来すると、係合部７４の進入可能領域に対して係合部７４が進入可能な状態になる。
【００５８】
一方、ガイド部１４４を中間フリー範囲表示領域４６を外れた位置に設けられた「最大」と表示された部分（最大フリー領域４４）にあわせると、切替部材１４０の外縁により、進入可能領域への係合部７４の進入が規制された状態になる。
【００５９】
続いて、歯車機構１００及び切替部材１４０の配置について、図面を参照しつつ説明する。図７は、歯車機構１００及び切替部材１４０の分解斜視図である。上述のとおり、回転部材１３０はリール５０の回転と連動して回転する。
【００６０】
リード２が繰り出され、リール５０が正方向に回転すると（図７においては反時計回り）、主動ギア１１０から回転を伝達された中間ギア１２０は、主動ギア１１０とは反対方向に回転する（図７においては時計回り）。また、中間ギア１２０から中間ギア噛合部１３８に対して回転力が伝達された回転部材１３０は、中間ギア１２０と同一方向に回転する（図７においては時計回り）。
【００６１】
このように、回転部材１３０はリール５０の回転が伝達されつつ、リール５０が回転する方向に向けて回転する。一方、切替部材１４０は、回転部材１３０の回転に連動して回転せず、利用者Ｐの操作によりガイド部１４４を操作することによってのみ回転する。
【００６２】
ブレーキ部１５０は、リール５０の正方向及び逆方向いずれの回転も禁止し、リード２の繰り出しを所定の距離に維持するために設けられている。図１０に示すとおり、ブレーキ部１５０は、係止部材１５２、圧縮ばね１５４及び操作部１５６を備えている。係止部材１５２は、把手部２４内に収容されており、圧縮ばね１５４によってリール５０から離れる方向に付勢されている。操作部１５６は、ケース２０に対して固定された揺動支点１５８を支点として揺動可能とされている。
【００６３】
図１や図２に示すように、操作部１５６は、一部が把手部２４内側から外側に突出している。操作部１５６において把手部２４から突出している部分を握ると、操作部１５６が揺動支点１５８を中心として揺動し、圧縮ばね１５４の付勢力に反して係止部材１５２がリール５０側にスライドする。これに伴い、係止部材１５２がリール５０の係止歯５６ａ，５６ｂに係合し、リール５０の正方向及び逆方向への回転が禁止された状態、すなわちリール５０の回転がロックされた状態になる。
【００６４】
次に、リード収容装置１０のフリー範囲切り替えについて、フリー範囲をリード２の繰り出し限度（最大フリー範囲）とする場合と、中間距離においてリード２の繰り出しを制限する場合（中間フリー範囲）とのそれぞれについて、図面を参照しつつ説明する。
【００６５】
≪最大フリー範囲が選択された場合について≫
図１１は、最大フリー範囲が選択された場合の切替部材１４０、回転部材１３０及びリール５０の位置関係を示している。なお、図１１においては主動ギア１１０、中間ギア１２０、隔離壁３４等の図示を省略している。図１１（ａ）は、最大フリー範囲を選択した場合の切替部材１４０、回転部材１３０、リール５０及び中間スイッチ７０の斜視図である。
【００６６】
図１１（ａ），（ｂ）は、初期状態（リード２の繰り出し前）を示している。初期状態において、回転部材１３０の被係合部１３２は、同図中に示されたスタート位置Ｓに隣接する位置に存在している。リード２を繰り出していくと、リール５０の回転に連動して回転部材１３０が回転する。これに伴い、回転部材１３０は、スタート位置Ｓから時計回りに回転し、やがて被係合部１３２が係合部突出孔３８に到達する。
【００６７】
ここで、図１１（ｂ）に示すように切替部材１４０に設けられたガイド部１４４をケース２０に設けられたフリー範囲表示部２８の「最大」と表示された位置にあわせると、図１１（ｃ）に示すとおり、係合部７４は、切替部材１４０の外縁に規制され係合部突出孔３８から突出できない状態となる。
【００６８】
そのため、被係合部１３２が係合部突出孔３８と隣接する位置まで回転部材１３０が到達しても、係合部７４と被係合部１３２とが係合しない。また、係合部７４と一体的に動く係止爪７６ａ，７６ｂについてもリール５０方向へ移動せず、係止爪７６ａ，７６ｂが係止歯５６ａ，５６ｂと係合しない。従って、ガイド部１４４をフリー範囲表示部２８の「最大」と表示された位置にあわせた状態においては、リード２の繰り出し限度がリード２の略全長相当分の長さとされ、この範囲内においてリード２の繰り出し及び巻き取りが可能となる。
【００６９】
≪中間フリー範囲が選択された場合について≫
次に、リード２の繰り出し限度において所定の中間距離をフリー範囲（中間フリー範囲）とする場合について、図面を参照しつつ説明する。図１２は、中間距離をフリー範囲（中間フリー範囲）とする場合の切替部材１４０、回転部材１３０及びリール５０の位置関係を示している。
【００７０】
なお、図１２においても、図１１と同様に主動ギア１１０、中間ギア１２０、隔離壁３４等の図示を省略している。図１２（ａ）は、中間フリー範囲を選択した場合の切替部材１４０、回転部材１３０、リール５０及び中間スイッチ７０の斜視図である。
【００７１】
図１２（ｂ）に示すとおり、切替部材１４０のガイド部１４４をフリー範囲表示部２８の「中間」と表示された部分にあわせた場合、凹部１４２が係合部突出孔３８と隣接して位置し、係合部７４がスイッチギア１３０の被係合部１３２に進入可能な状態となる。
【００７２】
このような状態においてリード２が繰り出されると、回転部材１３０がリール５０の回転に連動して回転する。やがて被係合部１３２が係合部突出孔３８に相当する位置に到達すると、中間スイッチ７０の係合部７４が凹部１４２及び係合部突出孔３８に進入し、係合する。また、係止爪７６ａ，７６ｂについても、係合部７４と同様にリール５０側に移動し、係止歯５６ａ，５６ｂと係合する。
【００７３】
ここで、図１３に示すとおり、被係合部１３２が係合部７４と係合する位置に到達すると、係止爪７６ａ，７６ｂと係止歯５６ａ，５６ｂとが接触する。この状態においてリード２を繰り出す方向への外力が作用したとしても、係止爪７６ａが係止歯５６ａと当接しているため、リール５０がこれ以上正方向に回転できない。
【００７４】
一方、図１３（ｂ）に示すとおり、リール５０が逆方向に回転した場合は、係止爪７６ａが滑らかな曲面を構成する係止歯５６ａの側面と当接する。この場合、リール５０が巻き戻される力が、主動ギア１１０、中間ギア１２０、及び回転部材１３０に伝わり、被係合部１３２に形成されたＲ形状の部分で中間スイッチ７０が押し戻される。これにより、リール５０の回転は規制されず、リード２の巻き取りについては可能となる。
【００７５】
従って、ガイド部１４４を「中間」と表示された部分にあわせた場合には、リード２の繰り出し限度がリード２の略全長に満たない長さに限定され、この範囲内においてリード２の繰り出し及び巻き取りが可能とされる。
【００７６】
図１４は、リード収容装置１０を犬等ペットの散歩に用いる場合を示している。図１４（ａ）は、最大フリー範囲が選択された場合、図１４（ｂ）は中間フリー範囲が選択された場合を示している。図１４（ａ）に示すとおり、最大フリー範囲が選択された場合は、リード２の繰り出し範囲Ｌ内においてペットの活動を許容しつつ、範囲Ｌ内においてリード２の繰り出し及び巻き取りを行うことができる。
【００７７】
一方、図１４（ｂ）に示すとおり、中間フリー範囲が選択された場合には、リード２の繰り出し範囲Ｍ内においてペットの活動を規制することができる。この場合についても、範囲Ｍにおいてリード２の繰り出し及び巻き取りのいずれも可能となる。また、これらのいずれの範囲内においても、ブレーキを機能させることが可能である。
【００７８】
上述のとおり、本実施形態においては、リール５０に係止歯５６ａ，５６ｂを設け、係止爪７６ａ，７６ｂと係止歯５６ａ，５６ｂとの係合によりリール５０の回転を規制する例を示したが、本発明のリード収容装置はこれに限定されない。すなわち、リール５０に係止歯５６ａ，５６ｂを設けず、係合部７４と被係合部１３２との係合により回転部材１３０の回転を阻止し、リール５０の回転を規制することとしてもよい。
【００７９】
また、本実施形態においては、ケース２０の一方側の側面に切替部材１４０を設けた例を示したが、ケース２０の底面側にも切替部材１４０を設け、３以上のフリー範囲を選択可能としてもよい。
【００８０】
さらに、本実施形態においては、リード収容装置１０にブレーキ部１５０を設けた例を示したが、係止部材１５２の位置をロックする機能を付加してもよい。このようなロック機能を付加すれば、利用者Ｐがリード収容装置１０を用いてペットの散歩を行う場合に、利用者Ｐの好みに応じてリード２の長さを保持することができる。
【００８１】
以上、本発明のリード収容装置について、代表的な実施形態について説明したが、本発明はこれに限定されるものではない。すなわち、特許請求の範囲に記載された本発明の技術的思想の範囲内で種々の設計変更が可能であり、それらは全て本発明に含まれるものである。
【産業上の利用可能性】
【００８２】
本発明のリード収容装置は、ペット用のリード等引き紐の巻き取り及び繰り出し可能なリード収容装置として好適に利用できる。
【符号の説明】
【００８３】
２              リード
１０              リード収容装置
５０              リール
５４ａ，５４ｂ    フランジ部
５６ａ，５６ｂ    係止歯
７０              中間スイッチ（係合部材）
７４              係合部
７６ａ，７６ｂ    係止爪
１２０            中間ギア（中間回転部材）
１３０            スイッチギア（回転部材）
１３２            被係合部
１４０            切替部材
１５２            係止部材
【要約】
【課題】リードの繰り出し及び巻き取りを可能とするリード繰り出し範囲を利用者の操作により選択可能なリード収容装置の提供を目的とした。
【解決手段】リード収容装置１０は、リール５０と、被係合部１３２を備えた回転部材１３０と、係合部材７０とを有し、係合部７４を被係合部１３２に係合させることにより、回転部材１３０のリール５０の正方向への回転に連動する回転を規制可能であり、被係合部１３２と係合部７４とが係合可能な係合可能状態と、被係合部１３２と係合部７４とが係合不能な係合不能状態とに切り替え可能な切替部材１４０が設けられている。
【選択図】図３【図１】
0005843994.tif 000002
【図２】
0005843994.tif 000003
【図４】
0005843994.tif 000004
【図５】
0005843994.tif 000005
【図６】
0005843994.tif 000006
【図７】
0005843994.tif 000007
【図８】
0005843994.tif 000008
【図９】
0005843994.tif 000009
【図１０】
0005843994.tif 000010
【図１１】
0005843994.tif 000011
【図１２】
0005843994.tif 000012
【図１３】
0005843994.tif 000013
【図１４】
0005843994.tif 000014
【図３】
0005843994.tif 000015